(57)【要約】【課題】ロールオン型の製品に好適な残留ガス排出機構を具備するエアゾール容器用アクチュエータを提供する。【解決手段】アクチュエータ１は、転動体３を保持するホルダー４と、ホルダー４を上下動可能に保持する肩カバー５と、を具備する。ホルダー４には複数か所の係合片４６が下向きに延設され、肩カバー５には係合片４６を上方から挿入させて係合させ得る複数か所の被係合部（係合溝５８）と、それよりも低位置に少なくとも１か所のガス抜き用被係合部６４と、が設けられる。通常使用時は、係合片４６が被係合部に係合されてホルダー４が上下動可能に保持され、ガス抜き時には、ホルダー４を取り外して回動させ、少なくとも１か所の係合片４６がガス抜き用被係合部６４に係合されるように肩カバー５に再装着することで、ホルダー４がステム２３を押下げた位置に拘束される。【選択図】図９
2020033051.tif 000002
【特許請求の範囲】
【請求項１】
エアゾール容器に突設されたステムに装着されて、球状の転動体を転動可能に保持するホルダーと、
前記エアゾール容器に取り付けられて、前記ホルダーを前記転動体の押圧に応じて上下動可能に保持する肩カバーと、
を具備するロールオン型のエアゾール容器用アクチュエータにおいて、
前記ホルダーには複数か所の係合片が下向きに延設されるとともに、
前記肩カバーには、前記係合片を上方から挿入させて係合させ得る複数か所の被係合部と、前記被係合部よりも低い位置に配置される少なくとも１か所のガス抜き用被係合部と、が設けられ、
通常使用時には、前記係合片が前記被係合部に係合されることで、前記ホルダーが前記肩カバーに対し上下動可能に装着される一方、
ガス抜き時には、前記ホルダーが肩カバーから上向きに抜脱されて軸周りに回動され、少なくとも１か所の係合片が前記ガス抜き用被係合部に係合されるように肩カバーに対して再装着されることで、前記ホルダーが前記ステムを押下げた位置に拘束される
ことを特徴とするエアゾール容器用アクチュエータ。
【請求項２】
請求項１に記載されたエアゾール容器用アクチュエータにおいて、
前記ホルダーおよび前記肩カバーには、互いの係合位置を案内する位置合わせ手段が設けられた
ことを特徴とするエアゾール容器用アクチュエータ。
【請求項３】
請求項２に記載されたエアゾール容器用アクチュエータにおいて、
前記位置合わせ手段に位置合わせマークが付された
ことを特徴とするエアゾール容器用アクチュエータ。
【請求項４】
請求項１、２または３に記載されたエアゾール容器用アクチュエータにおいて、
前記ホルダーは、球状の内表面を有する凹部と、前記凹部の底側から下向きに突設されたステム接続部および遊挿筒部と、前記凹部の周囲に設けられたカラー部と、前記カラー部から下向きに延設された係合片と、を具備し、
前記肩カバーは、前記ホルダーの遊挿筒部を収容するガイド筒部と、その外側を包囲する略円筒状の内側周壁部および外側周壁部と、前記外側周壁部から下向きに延設されたスカート部と、を具備し、
前記内側周壁部と前記外側周壁部とがブリッジ部を介して同心状に結合され、
前記ブリッジ部に複数か所の係合溝が形成されて、
その一部の係合溝の下側開口縁が前記被係合部となされ、
その他の係合溝の下方に前記ガス抜き用被係合部が形成された
ことを特徴とするエアゾール容器用アクチュエータ。
【発明の詳細な説明】
【技術分野】
【０００１】
本願が開示する発明はエアゾール容器用アクチュエータに関し、より詳細には、残留ガスの排出機構に特徴を有するロールオン型のエアゾール容器用アクチュエータに関する。
【背景技術】
【０００２】
化粧品、皮膚外用剤、殺虫剤等に幅広く利用されているエアゾール製品については、使用後の残留ガスを簡単かつ確実に排出する機構が数多く提案されている。
【０００３】
かかる残留ガス排出機構としては、
（１）エアゾール容器のステムに装着される噴射ボタン（噴出ヘッド）と、噴射ボタンを覆うようにしてエアゾール容器の肩部に嵌装されるキャップとの間に別部材を介装するか、あるいはキャップの天面近傍を変形させるなどにより、キャップをエアゾール容器に装着した状態で噴射ボタンを押下げ位置に固定するもの（例えば、特許文献１、２等）
（２）噴射ボタンを取り外し、キャップを上下反転させてエアゾール容器に取り付けることで、ステムを押下げ位置に固定するもの（例えば、特許文献３、４等）
（３）ステムに装着される噴射ボタンと、エアゾール容器の肩部に嵌装されて噴射ボタンを包囲する肩カバーと、のどちらかをステムの軸周りに回動させるなどして両者の係合状態を変えることにより、噴射ボタンを押下げ位置に固定するもの（例えば、特許文献５、６等）
等が公知である。
【先行技術文献】
【特許文献】
【０００４】
【特許文献１】特開２０１０−００６３９７号公報
【特許文献２】特開２００７−１９７０２９号公報
【特許文献３】特開２００１−１３９０７６号公報
【特許文献４】特開２００９−１４３６２４号公報
【特許文献５】特開２００６−２９０４２０号公報
【特許文献６】特開２０１２−１０６７５０号公報
【発明の概要】
【発明が解決しようとする課題】
【０００５】
球状の転動体を介して体臭抑制剤やサンスクリーン剤等の皮膚外用剤を皮膚に塗布する、いわゆるロールオン型の皮膚外用製品等においても、近年、エアゾール容器を利用したものが提案されている。その種のエアゾール容器には、球状の転動体と、その転動体を回動可能に保持するホルダーとを備えたアクチュエータが取り付けられる。転動体を皮膚に押当てるとアクチュエータがステムを押込んでエアゾールバルブが開弁され、エアゾール容器に充填された内容物がステムから噴出し、ホルダーに設けられた噴出孔を通って転動体の外表面に付着する。その転動体を皮膚に沿って転動させることで、内容物を対象部位に塗布することができる。
【０００６】
しかしながら、このようなロールオン型のエアゾール製品に関しては、エアゾール容器内の残留ガスを簡単・確実に排出するための合理的な機構が、未だ具体的に提案されていないのが実情である。そこで、本願は、ロールオン型の製品に好適な残留ガス排出機構を具備するエアゾール容器用アクチュエータを開示するものである。
【課題を解決するための手段】
【０００７】
前述の目的を達成するため、本願が開示するエアゾール容器用アクチュエータは、エアゾール容器に突設されたステムに装着されて、球状の転動体を転動可能に保持するホルダーと、前記エアゾール容器に取り付けられて、前記ホルダーを前記転動体の押圧に応じて上下動可能に保持する肩カバーと、を具備するロールオン型のエアゾール容器用アクチュエータにおいて、前記ホルダーには複数か所の係合片が下向きに延設されるとともに、前記肩カバーには、前記係合片を上方から挿入させて係合させ得る複数か所の被係合部と、前記被係合部よりも低い位置に配置される少なくとも１か所のガス抜き用被係合部と、が設けられ、通常使用時には、前記係合片が前記被係合部に係合されることで、前記ホルダーが前記肩カバーに対し上下動可能に装着される一方、ガス抜き時には、前記ホルダーが肩カバーから上向きに抜脱されて軸周りに回動され、少なくとも１か所の係合片が前記ガス抜き用被係合部に係合されるように肩カバーに対して再装着されることで、前記ホルダーが前記ステムを押下げた位置に拘束される、との構成を採用する。
【０００８】
さらに、前記ホルダーおよび前記肩カバーには、互いの係合位置を案内する位置合わせ手段が設けられた、との構成を採用する。
【０００９】
さらに、前記位置合わせ手段に位置合わせマークが付された、との構成を採用する。
【００１０】
さらに、前記ホルダーは、球状の内表面を有する凹部と、前記凹部の底側から下向きに突設されたステム接続部および遊挿筒部と、前記凹部の周囲に設けられたカラー部と、前記カラー部から下向きに延設された係合片と、を具備し、前記肩カバーは、前記ホルダーの遊挿筒部を収容するガイド筒部と、その外側を包囲する略円筒状の内側周壁部および外側周壁部と、前記外側周壁部から下向きに延設されたスカート部と、を具備し、前記内側周壁部と前記外側周壁部とがブリッジ部を介して同心状に結合され、前記ブリッジ部に複数か所の係合溝が形成されて、その一部の係合溝の下側開口縁が前記被係合部となされ、その他の係合溝の下方に前記ガス抜き用被係合部が形成された、との構成を採用する。
【発明の効果】
【００１１】
前述のように構成されるエアゾール容器用アクチュエータによれば、通常使用時の状態からホルダーおよび肩カバーを一度、取り外し、ホルダーを回動させて、ホルダーの係合片が肩カバーのガス抜き用被係合部に係合されるようにホルダーを再装着することで、エアゾール容器内の残留ガスを簡単・確実に排出することができる。
【００１２】
さらに、ホルダーおよび肩カバーに、互いの係合位置を案内する位置合わせ手段を設けたり、位置合わせマークを付したりすることで、通常使用時および残留ガス排出時において互いを適正に係合させることができ、使用者の誤操作を防止しやすくなる。
【図面の簡単な説明】
【００１３】
【図１】本願が開示する発明の一実施形態に係るエアゾール容器用アクチュエータの外観と、その部品構成を示す斜視図である。
【図２】前記エアゾール容器用アクチュエータの通常使用状態における縦断面図である。
【図３】前記エアゾール容器用アクチュエータにおけるホルダーの上面図（ａ）および底面図（ｂ）である。
【図４】前記エアゾール容器用アクチュエータにおける肩カバーの上面図である。
【図５】前記肩カバーのＡ−Ａ断面図である。
【図６】前記肩カバーのＢ−Ｂ断面図である。
【図７】前記肩カバーのＣ−Ｃ断面図である。
【図８】前記エアゾール容器用アクチュエータをガス抜き状態に変更する際の操作方法を示す説明図である。
【図９】前記エアゾール容器用アクチュエータのガス抜き状態における縦断面図である。
【図１０】本願が開示する発明の他の実施形態を概略的に示す説明図である。
【発明を実施するための形態】
【００１４】
以下、本願が開示する発明の実施形態について、図面を参照しつつ説明する。
【００１５】
図１〜図９は、本願が開示する発明の一実施形態に係るエアゾール容器用アクチュエータ（以下、単に「アクチュエータ」という。）を示す。このアクチュエータ１は、内容物が加圧充填されたエアゾール容器２の上部に装着される。なお、以下の説明において、部位・部材の位置関係や向きを示す際には、エアゾール容器２を直立させた図１に示す状態を基準にして、上下方向および水平方向を特定することとする。
【００１６】
エアゾール容器２は、図２に示すように、容器本体２１の上部にマウンテンカップ２２をクリンチして密封されている。マウンテンカップ２２の内側中央部にはエアゾールバルブを内蔵したハウジング（図示せず）が固定され、そのハウジング内に筒状のステム２３が挿入されて、ステム２３の上部がエアゾール容器２の上方に付勢状態で突設されている。このステム２３をエアゾール容器２の内側に押込むとエアゾールバルブが開栓されて、エアゾール容器２内に充填された内容物がステム２３の上端開口から噴出する。
【００１７】
なお、本願が開示する発明は、エアゾール容器２の加圧機構やエアゾールバルブの詳細な構造等を要部とするものではないので、それらに関しては従来公知の技術的手段を適宜、組み合わせるなどして実施することができる。また、エアゾール容器２に充填される内容物としては、例えば体臭抑制剤やサンスクリーン剤、消炎鎮痛剤等を想定しているが、本願が開示する発明は特に内容物の種類や組成を限定するものでもない。
【００１８】
例示のアクチュエータ１は、球状の滑らかな外表面を有する転動体３と、その転動体３を転動自在に保持するホルダー４と、ホルダー４を転動体３の押圧に応じて上下動可能に保持する肩カバー５と、肩カバー５の上方に被せられてホルダー４および転動体３を覆うキャップ７と、の４部材を組み合わせて構成されている。
【００１９】
ホルダー４には、球状の滑らかな内表面を有する凹部４１が、上向きに開口するように形成されている。この凹部４１は、その底部中央に形成された噴出孔４２を除いて内表面全体が隙間なく液密的に連続するように一体成形されている、この凹部４１内に転動体３が圧入され、転動体３の一部分が上方に露出した状態で、任意の方向に転動可能に保持される。凹部４１の底側には、噴出孔４２に連通する略円筒状のステム接続部４３が下向きに突設されている。このステム接続部４３は、エアゾール容器２から突出するステム２３の上部に嵌装されて、内容物の導出路となる。
【００２０】
また、ステム接続部４３と同心状をなすようにして、ステム接続部４３の外側に略円筒状の遊挿筒部４４が下向きに突設されている。この遊挿筒部４４は、肩カバー５の内側に収容されて、転動体３の押圧によるホルダー４の上下動を安定させる作用をなす。ステム接続部４３と遊挿筒部４４とは、互いの下端縁の高さがほぼ揃えられている。
【００２１】
また、凹部４１の高さ方向における中間部分の側面には、その全周を取り巻くようにして、縦断面略Ｌ字形のカラー部４５が設けられている。さらに、カラー部４５の周方向における３か所から下向きに係合片４６が延設されている。３か所の係合片４６は、平面視においてホルダー４の軸心周りの中心角を略三等分する位置に設けられており、下方への延出長さは揃えられている。係合片４６の外側面には鈎状の係合突起４７が突設されて、この係合突起４７が後述する肩カバー５の被係合部に係止される。
【００２２】
肩カバー５は、中央にホルダー４を収容する孔部を備えた略円筒状の部材である。肩カバー５には、内側から順に、ホルダー４の遊挿筒部４４を包囲してホルダー４の上下動を案内する略円筒状のガイド筒部５１と、その外側を包囲する略円筒状の内側周壁部５２と、さらにその外側を包囲する略円筒状の外側周壁部５３と、外側周壁部５３の下端部から外側周壁部５３よりも若干、拡径して下向きに延設された略円筒状のスカート部５４と、が設けられている。
【００２３】
ガイド筒部５１と内側周壁部５２とは、ガイド筒部５１の下端縁から全周にわたって水平方向に張り出したフランジ部５５を介して同心状に結合されている。内側周壁部５２の上端縁はガイド筒部５１の上端縁よりも上方まで立ち上げられている。フランジ部５５よりも下方に延設された内側周壁部５２の下端縁は、容器本体２１とマウンテンカップ２２とのクリンチ部分に嵌装可能な嵌着部５６となっており、この嵌着部５６を介して肩カバー５がエアゾール容器２に取り付けられる。
【００２４】
内側周壁部５２と外側周壁部５３とは、内側周壁部５２の上端縁寄りの位置から水平方向に張り出したブリッジ部５７を介して同心状に結合されている。外側周壁部５３の上端縁は内側周壁部５２の上端縁よりも上方まで立ち上げられている。ブリッジ部５７には、図４に示すように、上面視略円弧状の係合溝５８が、周方向にわたって６か所に形成されている。６か所の係合溝５８は、平面視において肩カバー５の軸心周りの中心角を略六等分する位置に設けられている。
【００２５】
そして、ホルダー４に突設された３か所の係合片４６が、内側周壁部５２と外側周壁部５３との間からこれらの係合溝５８に挿入されて、図２に示すように、係合片４６の係合突起４７がブリッジ部５７の下面（外側周壁部５３の下端縁）に係合される。つまり、ブリッジ部５７に形成された係合溝５８の下側開口縁が、係合片４６を係合させるための被係合部となる。かかる係合形態により、ホルダー４が肩カバー５に対して、容易には抜脱しないように装着される。この状態でホルダー４が、一定のストローク（図２中の白抜矢符）で上下動可能となり、転動体３およびホルダー４の押下げに応じてステム２３が押込まれるようになる。
【００２６】
本願が開示する発明の要部は、前述したホルダー４と肩カバー５との係合形態が、通常使用時と、内容物をほぼ使い切った後の残留ガス排出時と、で変更し得るように構成されている点にある。
【００２７】
まず、ホルダー４については、図３に示すように、凹部４１の周囲を取り巻くカラー部４５に、２か所の位置合わせカット部４８が設けられている。位置合わせカット部４８は、カラー部４５の外周面を直立面で削ぎ落としたような形状をなしており、ホルダー４の軸心を挟んで相対する２か所に形成されている。それらのうち、一方（図３では左側）の位置合わせカット部４８が形成されたカラー部４５の上面には、位置合わせマークとなる２個の目印凸部４９が突設されている。３か所の係合片４６は、この目印凸部４９が付された位置合わせカット部４８と、そこから平面視において中心角１２０度ずつ離れた位置にそれぞれ設けられている。
【００２８】
一方、肩カバー５には、図３に示すように、ホルダー４の位置合わせカット部４８に対応させて、外側周壁部５３に２か所の位置合わせガイド部６１が設けられている。位置合わせガイド部６１は、外側周壁部５３の内周面を上面視弓形に増肉させた形状をなしており、肩カバー５の軸心を挟んで相対する２か所に形成されている。そして、６か所の係合溝５８が、２か所の位置合わせガイド部６１に面する位置と、そこから平面視において中心角６０度ずつ離れた位置とに、それぞれ設けられている。また、内側周壁部５２には、図６および図７に示すように、２か所の位置合わせガイド部６１に面して正面視略矩形の切欠部６２がそれぞれ形成されている。
【００２９】
さらに、２か所の位置合わせガイド部６１のうち、一方（図４、図５では右側）の位置合わせガイド部６１の上端縁には、位置合わせマークとなる１個の目印凸部６３が突設されている。そして、この目印凸部６３が突設された側の位置合わせガイド部６１は、その内側面がブリッジ部５７の下面よりも下方まで延出されて、その下端にガス抜き用被係合部６４が形成されている。ガス抜き用被係合部６４は、スカート部５４の上端近傍部分を、係合溝５８と略等幅で内方へ増肉させるようにして形成されている。ガス抜き用被係合部６４の下面は略水平に形成され、下端縁には内方に突出する顎部６５が形成されている。
【００３０】
さらに、これと同様の形状を有するガス抜き用被係合部６４が、図４および図６に示すように、目印凸部６３が付された位置合わせガイド部６１と平面視において中心角１２０度ずつ離れた位置の係合溝５８の下側にも設けられている。３か所のガス抜き用被係合部６４の下面の高さは揃えられている。
【００３１】
そして、通常使用時は、図２に示したように、ホルダー４に付された２個の目印凸部４９と、肩カバー５に付された１個の目印凸部６３とが互いに反対側になるようにして、ホルダー４が肩カバー５に取り付けられる。この係合形態では、ホルダー４の、目印凸部４９が付された位置合わせカット部４８から延び出す係合片４６が、肩カバー５の、目印凸部６３が付されていない側の位置合わせガイド部６１に形成された係合溝５８に挿入されて、その係合突起４７がブリッジ部５７の下面に係合される。ホルダー４に設けられた他の２か所の係合片４６も、目印凸部６３が付されていない側の位置合わせガイド部６１と平面視において中心角１２０度ずつ離れた位置の係合溝５８に挿入され、それらの係合突起４７がブリッジ部５７の下面に係合される。かくして、ホルダー４が、図２中に白抜矢符で示したストロークの範囲内で上下動し得るように保持される。
【００３２】
肩カバー５の内側周壁部５２に形成された切欠部６２は、ホルダー４の位置合わせカット部４８に設けられた係合片４６が、肩カバー５の位置合わせガイド部６１に形成された係合溝５８内で上下動する際の干渉を避けるために形成されている。そして、切欠部６２の下辺部は、この係合形態において、ホルダー４が最下位置まで押下げられたときに係合片４６の下端縁が当接する高さ、つまり、ホルダー４の上下動ストロークの下限を規定する位置に設定されている。
【００３３】
内容物をほぼ使い切った後は、残留ガスを排出するために、ホルダー４と肩カバー５との係合形態を以下のように変更する。
【００３４】
まず、図２の係合形態から、肩カバー５のスカート部５４辺りを掴んで持ち上げ、肩カバー５の嵌着部５６をクリンチ部から取り外して、ホルダー４および肩カバー５をエアゾール容器２から分離する。そして、図８に示すように、肩カバー５の底側からホルダー４の底部を指で押し上げるなどして、ホルダー４の係合片４６を肩カバー５の係合溝５８から上向きに抜脱させ、ホルダー４と肩カバー５とを分離する。
【００３５】
続いて、肩カバー５に対しホルダー４を軸周りに１８０度回動させる。ホルダー４に付された目印凸部４９と肩カバー５に付された目印凸部６３とを同じ側に向け、ホルダー４の位置合わせカット部４８と肩カバー５の位置合わせガイド部６１とを合わせて、ホルダー４を肩カバー５に再度、上方から係合させる。その係合形態を図９に示す。
【００３６】
この係合形態では、ホルダー４の、目印凸部４９が付された位置合わせカット部４８に設けられた係合片４６が、肩カバー５の、目印凸部６３が付された位置合わせガイド部６１に形成された係合溝５８に挿入される。その係合片４６の係合突起４７は、ブリッジ部５７よりも下方に設けられたガス抜き用被係合部６４に係合される。ホルダー４に設けられた他の２か所の係合片４６も、目印凸部６３が付された位置合わせガイド部６１と平面視において中心角１２０度ずつ離れた位置の係合溝５８に挿入され、それらの係合溝５８の下方に設けられた、他の２か所のガス抜き用被係合部６４に係合される。
【００３７】
ガス抜き用被係合部６４の下端縁の高さは、ホルダー４が上下動ストロークの下限付近まで押下げられたときに係合突起４７が係合する高さに設定されている。したがって、この係合形態では、ホルダー４の位置が上下動ストロークの下限付近に拘束されて、ステム２３が押下げられたままになり、それによってエアゾール容器２内の残留ガスが連続的に排出されることになる。このように、通常使用時の状態からホルダー４および肩カバー５を一度、取り外し、ホルダー４を回動させて肩カバー５に再装着することで、エアゾール容器２内の残留ガスを簡単・確実に排出することができる。
【００３８】
さらに、例示形態では、ホルダー４側の位置合わせカット部４８と、肩カバー５側の位置合わせガイド部６１とを対応させる、いわゆる「Ｉカット（２面カット）」状の位置合わせ手段を採用することで、ホルダー４と肩カバー５とを適正に係合させることができる。また、その位置合わせ手段にガス抜き時の位置合わせマークを付すことで、ホルダー４と肩カバー５との係合位置を、よりわかりやすくすることができ、使用者の誤操作も防止することができる。
【００３９】
なお、本発明の技術的範囲は、例示した実施形態によって限定的に解釈されるべきものではなく、特許請求の範囲の記載に基づいて概念的に解釈されるべきものである。本発明の実施に際しては、特許請求の範囲において具体的に特定していない部材・部品の形状や構造、位置関係、接合形態等を、本発明の要旨を逸脱しない範囲内で適宜、改変して実施することができる。
【００４０】
例えば、例示形態ではホルダー４に３か所の係合片４６を設けるとともに、肩カバー５には６か所の係合溝５８を設けて、そのうちの３か所を通常使用時の被係合部、他の３か所をガス抜き用被係合部６４としたが、係合片４６と、被係合部およびガス抜き用被係合部６４の数は、これに限るものではない。例えば図１０に示すように、ホルダー４に２か所の係合片４６を対向して設けるとともに、肩カバー５には４か所の係合溝５８を設けて、そのうちの２か所を通常使用時の被係合部、他の２か所をガス抜き用被係合部６４とし、ホルダー４を９０度回動させて再装着する、といった係合形態を採用することも可能である。
【００４１】
ホルダーと肩カバー５との位置合わせ手段についても、互いの係合位置の設定に応じて、適宜の凹凸形状等を採用することができる。また、位置合わせマークについても、適宜の図形や文字による表示手段を採用することができる。
【００４２】
ホルダーを一旦外して肩カバー５に再装着する作業は、このエアゾール製品の使用者が廃棄前に行うこともできるし、廃棄されたエアゾール製品の回収者等が行うこともできる。
【符号の説明】
【００４３】
１  アクチュエータ
２  エアゾール容器
２１  容器本体
２２  マウンテンカップ
２３  ステム
３  転動体
４  ホルダー
４１  凹部
４２  噴出孔
４３  ステム接続部
４４  遊挿筒部
４５  カラー部
４６  係合片
４７  係合突起
４８  位置合わせカット部
４９  目印凸部
５  肩カバー
５１  ガイド筒部
５２  内側周壁部
５３  外側周壁部
５４  スカート部
５５  フランジ部
５６  嵌着部
５７  ブリッジ部
５８  係合溝
６１  位置合わせガイド部
６２  切欠部
６３  目印凸部
６４  ガス抜き用被係合部
６５  顎部
７  キャップ
【図１】
2020033051.tif 000003
【図２】
2020033051.tif 000004
【図３】
2020033051.tif 000005
【図４】
2020033051.tif 000006
【図５】
2020033051.tif 000007
【図６】
2020033051.tif 000008
【図７】
2020033051.tif 000009
【図８】
2020033051.tif 000010
【図９】
2020033051.tif 000011
【図１０】
2020033051.tif 000012